(57)【要約】【課題】移動体通信端末器などに用いられるアンテナ装置において、性能を確保するためには、アンテナ素子および無線回路基板といったアンテナ装置の占有体積が大きくなり、移動体通信端末器のデザイン性を損なう、あるいは、電気部品などの実装が厳しくなるといった課題を有していた。本発明は、前記の課題を解決するため、移動体通信端末の構造に依存しない内蔵小型アンテナ装置を提供する。【解決手段】キー操作部を備える本体部と液晶画面を備えるフリップ部を有する折り畳み式の筐体構造を有し、電池パック９を有する移動体通信用端末器1において、電池パックケース１０に備えた導電体１２とアンテナエレメント７のグランド端子１１とを接続して構成され、電池パックケース１０に備えた導電体１２が地線として動作するように、その電気長が調整されている。【選択図】図２
2006166072.tif 000002
【特許請求の範囲】
【請求項１】
移動体通信端末器において、第１筐体と第２筐体とを有する折り畳み式の本体筐体と、前記移動体通信端末器に電源を供給する電池パックと、前記電池パックを納める電池パックケースと、前記パックケースに設けられた導電体と、前記移動体通信端末器に設けられたアンテナ素子と、前記アンテナ素子の接地端子と接続された前記電池パックケースに設けられた前記導電体が地線として動作するように電気長が調整されていることを特徴とするアンテナ装置。
【請求項２】
前記電池パックケース表面に前記導電体が延在し、地線として動作するように電気長が調整されていることを特徴とする請求項１記載のアンテナ装置。       
【請求項３】
前記第１筐体と前記第２筐体との各一端に設けられた可動接合部材により開閉かつ表裏反転して開閉可能な本体筐体を有することを特徴とする請求項１または２記載のアンテナ装置。
【請求項４】
前記第１筐体と前記第２筐体とが摺動可能に可動接合部材により連接された本体筐体を有することを特徴とする請求項１または２記載のアンテナ装置。
【請求項５】
請求項１乃至４記載のアンテナ装置を設けたことを特徴とする移動体通信用端末器。
【発明の詳細な説明】
【技術分野】
【０００１】
本発明は、移動体通信用端末器などに用いられるアンテナ装置に関する。
【背景技術】
【０００２】
従来の電池パック近傍に存在するアンテナ装置としては、図１１に示す無線装置であるコードレス電話機１４の電源部１５を構成する電池ケース１６内部に設けられる取付フック付勢用ロックバネ１７の一端を延長させて、内蔵アンテナ１８を構成しているものが知られている（例えば、特許文献１）。
【０００３】
また、電池パックに地線を設けて無線回路基板に流れた電流を地線に集中させ、放射効率を確保するものが知られている（例えば、特許文献２）。
【特許文献１】特開平７―３２１６８８号公報（第３頁、第１図）
【特許文献２】特開２０００―１３１１８号公報
【発明の開示】
【発明が解決しようとする課題】
【０００４】
しかしながら、この様な従来のアンテナ構成では、無線回路基板に電流を流し、放射効率を確保する必要があるため、アンテナ性能が無線回路基板の大きさに依存し、移動体通信用端末器の構造によって変化する。
【０００５】
本発明は、このような問題を解決するためになされたもので、電池パックケースに地線を配置することで、無線回路基板に流れた電流を地線に集中させ、効率良く放射させるため、無線回路基板の大きさおよび移動体通信用端末器の構造に依存することなく、アンテナ性能を確保できるアンテナ装置を提供するものである。
【課題を解決するための手段】
【０００６】
この課題を解決するため、電池パックケースに導電体を設け、アンテナ素子であるアンテナエレメントの接地側となるグランド端子と接続して電池パックケースの導電体が地線として動作するように、その電気長を調整する。
【０００７】
この構成により、無線回路基板に流れた電流を地線に集中させ、効率良く放射させることができるため、無線回路基板の大きさおよび携帯電話の構造に依存することがなく、アンテナ性能を確保することができる。
【０００８】
また、表面に導電体が延在する電池パックケースとアンテナエレメントのグランド端子とを接続して、電池パックケースの表面に延在する導電体が地線として動作するように、その電気長が調整する。
【０００９】
この構成により、無線回路基板に流れた電流を地線に集中させ、効率良く放射させるため、無線回路基板の大きさおよび移動体通信用端末器の構造に依存することがなく、アンテナ性能を確保できる。
【発明の効果】
【００１０】
以上のように、本発明のアンテナ装置によれば、アンテナの放射特性は、無線回路基板といったアンテナ装置の占有体積の大きさおよび移動体通信用端末器の構造に依存せず、移動体通信用端末器のデザイン性を損なわずに、また電気部品などの実装に関わらず、アンテナ設計が可能となる。
【発明を実施するための最良の形態】
【００１１】
以下、本発明の実施例について図面を用いて説明する。
【００１２】
図１は、本発明の実施例１および２における移動体通信用端末器の外観斜視図である。  
【００１３】
１は折り畳み式移動体通信用端末器の本体であり、４はその第１筐体、５は第２筐体、７はアンテナエレメント、８は無線回路基板、９は電池である電池パック、１０は電池パックケースである。
（実施例１）
図２は、本発明の実施例１におけるアンテナ装置の構成を示す斜視図であり、７はアンテナエレメント、８は無線回路基板、９は電池パック、１１はグランド端子バネ、１２は導電体である。
【００１４】
無線回路基板の接地電位を有する導体部分であるグランド部分に電流を励起させ、良好なアンテナ特性を得る手法が選択される場合があるが、この様なアンテナ構成では、無線回路基板に電流を流し、放射効率を確保する必要があるため、アンテナ性能が無線回路基板の大きさに依存し、移動体通信用端末器の構造によって変化する。
【００１５】
そこで、本発明では、無線回路基板８と、地線として動作するようにその電気長が調整された導電体１２をグランド端子バネ１１を介して接続させ、導電体１２に電流を励起させる。ここで、グランド端子バネ１１は、第２筐体５に固定されており、無線回路基板８の接地電位を有する導体部分であるグランド部分および導電体１２とバネ接続されており、無線回路基板に流れた電流を導電体１２へと流す作用がある。
【００１６】
この構成により、良好なアンテナの放射特性が得られ、アンテナ素子および無線回路基板といったアンテナ装置の占有体積の大きさに依存せず、移動体通信用端末器のデザイン性を損なわずに、また電気部品などの実装および移動体通信用端末器の構造に関わらず、アンテナ設計が実現できる。
【００１７】
図３は、図２のアンテナにおいて、アンテナ地線の電気長を約１／４波長とした場合の励振周波数が１９２０ＭＨｚ〜２１７０ＭＨｚとした場合の電圧定在波比（以下、ＶＳＷＲと呼ぶ。）特性の一例である。同図に示す通り、ＶＳＷＲを３以下とした場合、地線がアンテナとして動作し、約２１５０ＭＨｚ付近に地線による共振が現れる。これにより、１９２０ＭＨｚ〜２１７０ＭＨｚまで帯域を確保し、無線回路基板に流れた電流を地線に集中させ、効率良く放射させるため、無線回路基板の大きさおよび移動体通信用端末器の構造に依存されることがないアンテナを実現できるという効果を有する。
（実施例２）
図４は、本発明の実施例２におけるアンテナ装置の構成を示す斜視図であり、７はアンテナエレメント、８は無線回路基板、１１はグランド端子バネ、１３は表面に導電体が延在する電池パックケースである。
【００１８】
無線回路基板のグランド部分に電流を励起させ、良好なアンテナ特性を得る手法が選択される場合があるが、この様なアンテナ構成では、無線回路基板に電流を流し、放射効率を確保する必要があるため、アンテナ性能が無線回路基板の大きさに依存し、移動体通信用端末器の構造によって変化する。
【００１９】
そこで、本発明では、無線回路基板８と表面に地線として動作するようにその電気長が調整された導電体が延在する電池パックケース１３をグランド端子バネ１１を介して接続させ、表面に導電体が延在する電池パックケース１３に電流を励起させる。ここで、グランド端子バネ１１は、第２筐体５に固定されており、無線回路基板８の接地電位を有する導体部分であるグランド部分および表面に導電体が延在する電池パックケース１３とバネ接続されており、無線回路基板に流れた電流を表面に導電体が延在する電池パックケース１３へと流す作用がある。
【００２０】
この構成により、良好な放射特性が得られ、アンテナ素子および無線回路基板といったアンテナ装置の占有体積の大きさに依存せず、移動体通信用端末器のデザイン性を損なわずに、また電気部品などの実装および移動体通信用端末器の構造に関わらない、アンテナ設計が実現できる。
（実施例３）
図５は、本発明の実施例３および４における移動体通信用端末器の外観斜視図であり、４は第１筐体、５は第２筐体、６は可動接合部材である。
【００２１】
第１筐体４と第２筐体５が、それらの一端に設けられた可動接合部材６により開閉するとともに、稼動接合部材の第２筐体５に略垂直に立設した軸を中心に１８０度または３６０度回転し、かつ前記の軸に略垂直に設けられた軸によって第１筐体４が回動・反転することにより開閉かつ表裏反転して開閉可能な本体筐体を構成している。
【００２２】
図６は、本発明の実施例３における移動体通信用端末器の構成を示す斜視図であり、７はアンテナエレメント、８は無線回路基板、９は電池パック、１１はグランド端子バネ、１２は導電体である。
【００２３】
無線回路基板のグランド部分に電流を励起させ、良好なアンテナ特性を得る手法が選択される場合があるが、この様なアンテナ構成では、無線回路基板に電流を流し、放射効率を確保する必要があるため、アンテナ性能が無線回路基板の大きさに依存し、移動体通信用端末器の構造によって変化する。
【００２４】
そこで、本発明では、無線回路基板８と地線として動作するようにその電気長が調整された導電体１２をグランド端子バネ１１を介して接続させ、導電体１２に電流を励起させる。ここで、グランド端子バネ１１は、第２筐体５に固定されており、無線回路基板８の接地電位を有する導体部分であるグランド部分および導電体１２とバネ接続されており、無線回路基板に流れた電流を導電体１２へと流す作用がある。
【００２５】
この構成により、良好なアンテナの放射特性が得られ、アンテナ素子および無線回路基板といったアンテナ装置の占有体積の大きさに依存せず、移動体通信用端末器のデザイン性を損なわずに、また電気部品などの実装および移動体通信用端末器の構造に関わらず、アンテナ設計が実現できる。
（実施例４）  
図７は、本発明の実施例４における移動体通信用端末器の構成を示す斜視図であり、７はアンテナエレメント、８は無線回路基板、１１はグランド端子バネ、１３は表面に地線として動作するようにその電気長が調整された導電体が延在する電池パックケースである。
【００２６】
無線回路基板のグランド部分に電流を励起させ、良好なアンテナ特性を得る手法が選択される場合があるが、この様なアンテナ構成では、無線回路基板に電流を流し、放射効率を確保する必要があるため、アンテナ性能が無線回路基板の大きさに依存し、移動体通信用端末器の構造によって変化する。
【００２７】
そこで、本発明では、無線回路基板６と表面に導電体が延在する電池パックケース１３をグランド端子バネ１１を介して接続させ、表面に導電体が延在する電池パックケース１３に電流を励起させる。ここで、グランド端子バネ１１は、第２筐体５に固定されており、無線回路基板８の接地電位を有する導体部分であるグランド部分および表面に導電体が延在する電池パックケース１３とバネ接続されており、無線回路基板に流れた電流を表面に導電体が延在する電池パックケース１３へと流す作用がある。
【００２８】
この構成により、良好な放射特性が得られ、アンテナ素子および無線回路基板といったアンテナ装置の占有体積の大きさに依存せず、移動体通信用端末器のデザイン性を損なわずに、また電気部品などの実装および移動体通信用端末器の構造に関わらず、アンテナ設計が実現できる。
（実施例５）
図８は、本発明の実施例５および６における移動体通信用端末器の外観斜視図であり、４は第１筐体、５は第２筐体、６は可動接合部材である。
【００２９】
第２筐体５に可動接合部材６を固定し、第１筐体４に可動接合部材６を移動するためのスペースを設けることで、第１筐体４が第２筐体５と平行にスライドする構造となっている。
【００３０】
図９は、本発明の実施例５における移動体通信用端末器の構成を示す斜視図であり、３はスライド式移動体通信用端末器、７はアンテナエレメント、８は無線回路基板、９は電池パック、１１はグランド端子バネ、１２は導電体である。
【００３１】
無線回路基板のグランド部分に電流を励起させ、良好なアンテナ特性を得る手法が選択される場合があるが、この様なアンテナ構成では、無線回路基板に電流を流し、放射効率を確保する必要があるため、アンテナ性能が無線回路基板の大きさに依存し、移動体通信用端末器の構造によって変化する。
【００３２】
そこで、本発明では、無線回路基板８と地線として動作するようにその電気長が調整された導電体１２をグランド端子バネ１１を介して接続させ、導電体１０に電流を励起させる。ここで、グランド端子バネ１１は、第２筐体５に固定されており、無線回路基板８の接地電位を有する導体部分であるグランド部分および導電体１２とバネ接続されており、無線回路基板に流れた電流を導電体１２へと流す作用がある。
【００３３】
この構成により、良好なアンテナの放射特性が得られ、アンテナ素子および無線回路基板といったアンテナ装置の占有体積の大きさに依存せず、移動体通信用端末器のデザイン性を損なわずに、また電気部品などの実装および移動体通信用端末器の構造に関わらず、アンテナ設計が実現できる。
（実施例６）  
図１０は、本発明の実施形態６における移動体通信用端末器の構成を示す斜視図であり、７はアンテナエレメント、８は無線回路基板、１１はグランド端子バネ、１３は表面に導電体が延在する電池パックケースである。
【００３４】
無線回路基板のグランド部分に電流を励起させ、良好なアンテナ特性を得る手法が選択される場合があるが、この様なアンテナ構成では、無線回路基板に電流を流し、放射効率を確保する必要があるため、アンテナ性能が無線回路基板の大きさに依存し、移動体通信用端末器の構造によって変化する。
【００３５】
そこで、本発明では、無線回路基板６と表面に地線として動作するようにその電気長が調整された導電体が延在する電池パックケース１３をグランド端子バネ１１を介して接続させ、表面に導電体が延在する電池パックケース１３に電流を励起させる。ここで、グランド端子バネ１１は、第２筐体５に固定されており、無線回路基板８の接地電位を有する導体部分であるグランド部分および表面に導電体が延在する電池パックケース１３とバネ接続されており、無線回路基板に流れた電流を表面に導電体が延在する電池パックケース１３へと流す作用がある。
【００３６】
この構成により、良好な放射特性が得られ、アンテナ素子および無線回路基板といったアンテナ装置の占有体積の大きさに依存せず、移動体通信用端末器のデザイン性を損なわずに、また電気部品などの実装および移動体通信用端末器の構造に関わらず、アンテナ設計が実現できる。
【産業上の利用可能性】
【００３７】
本発明は、電池パックを有する移動体通信端末器において、電池パックケースに、導電体が備え付けてあり、アンテナエレメントのグランド端子と接続して構成させ、電池パックケースの金属物が地線を備えたものである。無線回路基板に流れた電流を電気長が調整され、使用周波数帯域で共振する地線に集中させることで、地線がアンテナとして動作するため、効率良く放射させることができ、無線回路基板の大きさおよび移動体通信端末器の構造に依存されることなく、アンテナ性能を確保し、移動体通信端末器などに有用である。
【図面の簡単な説明】
【００３８】
【図１】本発明の実施例１および２における移動体通信用端末器の外観斜視図
【図２】本発明の実施例１における移動体通信端用末器の構成を示す斜視図
【図３】本発明の実施例１におけるアンテナ装置のＶＳＷＲ特性図
【図４】本発明の実施例２における移動体通信用端末器の構成を示す斜視図
【図５】本発明の実施例３および４における移動体通信端末器の外観斜視図
【図６】本発明の実施例３における移動体通信用端末器の構成を示す斜視図
【図７】本発明の実施例４における移動体通信用端末器の構成を示す斜視図
【図８】本発明の実施例５および６における移動体通信端末器の外観斜視図
【図９】本発明の実施例５における移動体通信用端末器の構成を示す斜視図
【図１０】本発明の実施例６における移動体通信用端末器の構成を示す斜視図
【図１１】従来の移動体通信端末器用内蔵アンテナの分解斜視図
【符号の説明】
【００３９】
１  折り畳み式移動体通信用端末器
２  移動体通信用端末器
３  スライド式移動体通信用端末器
４  第１筐体
５  第２筐体
６  可動接合部材  
７  固定ヘリカルアンテナもしくは収納可能なホイップアンテナ
８  無線回路基板
９  電池パック
１０  電池パックケース
１１  グランド端子バネ  
１２  導電体（地線）
１３  表面に導電体が延在する電池パックケース
１４  コードレス電話機
１５  電源部
１６  電池ケース
１７  ロックバネ
１８  内蔵アンテナ
【図１】
2006166072.tif 000003
【図２】
2006166072.tif 000004
【図３】
2006166072.tif 000005
【図４】
2006166072.tif 000006
【図５】
2006166072.tif 000007
【図６】
2006166072.tif 000008
【図７】
2006166072.tif 000009
【図８】
2006166072.tif 000010
【図９】
2006166072.tif 000011
【図１０】
2006166072.tif 000012
【図１１】
2006166072.tif 000013